(57)【特許請求の範囲】
【請求項１】
ホッパに汚濁空気を濾過するフィルタを内蔵した清掃機において、
前記フィルタを前記ホッパの内部に取り付けるフィルタ取付プレートと、前記フィルタを前記フィルタ取付プレートに挟み付けるフィルタ押えブラケットと、前記フィルタに付着した塵埃を振り落とすフィルタシェーカと、からなる清掃機のフィルタ装置であって、
前記フィルタ押えブラケットは、前記フィルタの両端部を押える一対の押え部材および前記一対の押え部材を連結する一対の連結部材から井桁状に構成され、
前記フィルタシェーカは、フィルタ面に対し直角部および平行部からなる断面Ｌ字形の板状に形成されたシェーカフレームを有してなり、
前記直角部の略中央部にモータをモータ軸がフィルタ面に対し平行となる向きで組み付け、前記モータ軸に偏心ウエイトを設ける一方、前記平行部の底面側に前記フィルタの略中央部に面接触する加振部材を設け、
前記直角部の両端を、防振部材を介して、前記一対の連結部材の略中央部に固着した各取付片に取り付けてなる、
清掃機のフィルタ装置。
【請求項２】
前記各押え部材の互い違い位置に前記フィルタの両端面より側方へ張り出す張出部を設け、
前記張出部をボルト及びナットでフィルタ取付プレートに締め付けた、
請求項１記載の清掃機のフィルタ装置。
【発明の詳細な説明】
【０００１】
【発明の属する技術分野】
本発明は、清掃機のホッパに内蔵されるフィルタ装置に関するものである。
【０００２】
【従来の技術】
この種のフィルタ装置は、通常、ホッパ内の汚濁空気を濾過するフィルタと、フィルタに付着した塵埃を振り落とすフィルタシェーカとから構成されている。従来、路面清掃車において、フィルタシェーカをフィルタ叩打板に取り付けた装置（特開昭５６‐２８７３５号公報）、フィルタシェーカをフィルタカバーに取り付けた装置（特許２８５０４０９号公報）、フィルタシェーカを防振ゴムを介しホッパに取り付けた装置（特開平７−１０９７１６号公報）などが知られている。
【０００３】
【発明が解決しようとする課題】
ところが、従来のフィルタ装置によると、フィルタシェーカの振動がフィルタ叩打板やフィルタカバーを伝ってホッパ側に逃げるので、塵落し効率が低下するという問題点があった。また、フィルタシェーカをホッパに取り付けた場合には、ホッパの形状やフィルタの位置に応じてシェーカの取付位置が変わるため、フィルタ装置を他機種のホッパに汎用できないという不都合があった。
【０００４】
そこで、本発明の課題は、塵落し効率及び汎用性を向上できる清掃機のフィルタ装置を提供することにある。
【０００５】
【課題を解決するための手段】
上記の課題を解決するために、請求項１の発明による清掃機のフィルタ装置は、ホッパに汚濁空気を濾過するフィルタを内蔵した清掃機において、前記フィルタを前記ホッパの内部に取り付けるフィルタ取付プレートと、前記フィルタを前記フィルタ取付プレートに挟み付けるフィルタ押えブラケットと、前記フィルタに付着した塵埃を振り落とすフィルタシェーカと、からなる清掃機のフィルタ装置であって、前記フィルタ押えブラケットが、前記フィルタの両端部を押える一対の押え部材および前記一対の押え部材を連結する一対の連結部材から井桁状に構成され、前記フィルタシェーカが、フィルタ面に対し直角部および平行部からなる断面Ｌ字形の板状に形成されたシェーカフレームを有してなり、前記直角部の略中央部にモータをモータ軸がフィルタ面に対し平行となる向きで組み付け、前記モータ軸に偏心ウエイトを設ける一方、前記平行部の底面側に前記フィルタの略中央部に面接触する加振部材を設け、前記直角部の両端を、防振部材を介して、前記一対の連結部材の略中央部に固着した各取付片に取り付けてなることを特徴とする。
【０００６】
請求項２の発明による清掃機のフィルタ装置は、前記各押え部材の互い違い位置に前記フィルタの両端面より側方へ張り出す張出部を設け、前記張出部をボルト及びナットで前記フィルタ取付プレートに締め付けたことを特徴とする。
【０００９】
【発明の実施の形態】
以下、本発明を路面清掃車に具体化した一実施形態を図面に基づいて説明する。図１に示すように、この路面清掃車のホッパ１には、掃上ブラシ（図示略）が掃き上げた路面上の塵埃を取り入れる塵埃取入口２と、ホッパダンプ時に塵埃を排出する塵埃排出ドア３と、ブロア（図示略）に接続される空気吸込口４と、ホッパ室の汚濁空気を濾過する２台（図３参照）のフィルタ装置５とが設けられている。フィルタ装置５は空気吸込口４の近くにおいてホッパ１に斜状に内蔵されている。
【００１０】
図２〜図５に示すように、フィルタ装置５は、筒形又は蛇腹形の濾過エレメント７ａ（図４，５参照）が内装されたフィルタ７と、フィルタ７を空気吸込口４側においてホッパ１の内部に取り付けるフィルタ取付プレート８と、フィルタ７とフィルタ取付プレート８との間の気密を保持するガスッケト９と、フィルタ７をフィルタ取付プレート８に挟み付けるフィルタ押えブラケット１０と、フィルタ７に付着した塵埃を振り落とすフィルタシェーカ１１とから構成されている。
【００１１】
フィルタ取付プレート８は、２つのフィルタ７を取付可能な大きさで長四角枠状に形成され、各フィルタ７の通気部と相対する２位置にそれと略同大の四角形孔６を備えている。フィルタ取付プレート８の下枠部８ａはホッパ１の前壁に固定され、上枠部８ｂはホッパ１の天井枠１３に固定され（図１参照）、左枠部８ｃ及び右枠部８ｄにはそれぞれ２本のボルト１４が植設され、中枠部８ｅには４本のボルト１４が植設されている。フィルタ押えブラケット１０は、フィルタ７の左右両端部を押える断面Ｌ字板からなる一対の押え部材１５，１６と、押え部材１５，１６を連結する角パイプからなる一対の連結部材１７，１８とから井桁状に構成されている。
【００１２】
一方の押え部材１５は他方の押え部材１６より長く形成され、各押え部材１５，１６の両端に張出部２０が互い違い位置でフィルタ７の両端面より側方へ張り出すように設けられ、長い方の押え部材１５には短い方の押え部材１６の張出部２０を避ける凹部２３が設けられている。各張出部２０にはボルト１４を通す孔２１が形成され、フィルタ押えブラケット１０が張出部２０にてボルト１４及び蝶ナット２２によりフィルタ取付プレート８に締め付けられている。
【００１３】
この構成によれば、張出部２０が互い違い位置に設けられているので、２つのフィルタ７の締付位置を相違させ、共通のフィルタ取付プレート８上に２台のフィルタ装置５を接近させた状態で並設することができる（図３参照）。なお、フィルタ取付プレート８を２分割して構成し、各プレート上にフィルタ７を取り付けてもよい。この場合も、張出部２０を互い違い位置に設けることで、２台のフィルタ装置５を接近させた状態で並設することができる。
【００１４】
連結部材１７，１８の略中央部には取付片２４がフィルタ面に対し直角に固着され、各取付片２４に防振ゴム２５を介しフィルタシェーカ１１のシェーカフレーム２６が両端にて取り付けられている。シェーカフレーム２６は断面Ｌ字形に形成され、フィルタ面に対し直角な部分２６ａと平行な部分２６ｂとが設けられている。直角部２６ａには、モータ２７がモータ軸２７ａをフィルタ面に対し平行にした向きで組み付けられ、モータ軸２７ａに偏心ウエイト２８が設けられている。
【００１５】
一方、シェーカフレーム２６の平行部２６ｂには、フィルタ７の略中央部に面接触するゴム等からなる加振板２９が固着されている。そして、偏心ウエイト２８の回転によりモータ２７、シェーカフレーム２６及び加振板２９を振動させ、加振板２９によりフィルタ７の全域を加振して、フィルタ７に付着した塵埃を振り落とすようになっている。なお、シェーカフレーム２６の直角部２６ａには、モータ２７及び偏心ウエイト２８を覆うカバー３０が装着されている。
【００１６】
上記構成のフィルタ装置５によれば、防振ゴム２５がフィルタ押えブラケット１０側への振動伝播を抑制するため、加振板２９によりフィルタ７を充分に振動させて、塵埃を効率よく振り落とすことができる。特に、シェーカフレーム２６の直角部２６ａにモータ２７をモータ軸２７ａがフィルタ面に対し平行となる向きで組み付け、シェーカフレーム２６の平行部２６ｂに加振板２９を固着したので、加振板２９によりフィルタ７を直交軸方向へ大きな振幅で振動させることができる。
【００１７】
また、フィルタシェーカ１１はフィルタ押えブラケット１０を介しフィルタ７に一体に組み付けられているので、ホッパ１の形状やフィルタ７の位置及び角度が変わった場合でも、フィルタシェーカ１０の取付位置を変更する必要がない。それ故、フィルタ装置５を標準化して構成でき、他機種のホッパにも汎用的に装備することが可能になる。しかも、フィルタ押えブラケット１０がボルト１４及び蝶ナット２２でフィルタ取付プレート８に締め付けられているので、フィルタ７、フィルタ押えブラケット１０及びフィルタシェーカ１１をフィルタ取付プレート８から容易に分解でき、濾過エレメント７ａの交換やフィルタシェーカ１１の点検等の作業を簡単に行うことができる。
【００１８】
なお、本発明は上記実施形態に限定されるものではなく、例えば、シェーカ取付用の防振部材にスプリング等の弾性部材を用いたり、フィルタ押えブラケット１０に多孔板を用いたり、同じ形状の押え部材を逆向き状態で互いに反対方向へ位相をずらして連結部材に連結したりするなど、本発明の趣旨を逸脱しない範囲で各部の形状並びに構成を適宜に変更して実施することも可能である。
【００１９】
【発明の効果】
以上詳述したように、請求項１の発明によれば、フィルタ押えブラケットに防振部材を介してフィルタシェーカを取り付けたので、フィルタに付着した塵埃を効率よく振り落とすことができるとともに、フィルタ装置を標準化して構成し、他機種のホッパに汎用的に装備できるという優れた効果を奏する。
【００２０】
また、フィルタ面と平行なモータ軸に偏心ウエイトを設けたので、フィルタシェーカが大きな振動を発生する効果がある。
【００２２】
請求項２の発明によれば、フィルタ押えブラケットの押え部材に張出部を互い違いに設けたので、複数台のフィルタ装置を接近状態で並設できる効果がある。
【図面の簡単な説明】
【図１】本発明の一実施形態を示すホッパの要部破断側面図である。
【図２】図１のホッパに内蔵されたフィルタ装置の分解斜視図である。
【図３】フィルタ装置の図１におけるＡ矢視図である。
【図４】図３のＢ‐Ｂ線断面図である。
【図５】図４のＣ‐Ｃ線断面図である。
【符号の説明】
１・・ホッパ、５・・フィルタ装置、７・・フィルタ、８・・フィルタ取付プレート、１０・・フィルタ押えブラケット、１１・・フィルタシェーカ、１４・・ボルト、１５，１６・・押え部材、１７，１８・・連結部材、２０・・張出部、２２・・蝶ナット、２４・・取付片、２５・・防振ゴム、２６・・シェーカフレーム、２７・・モータ、２７ａ・・モータ軸、２８・・偏心ウエイト、２９・・加振板。
【図１】
0004438205.tif 000002
【図２】
0004438205.tif 000003
【図３】
0004438205.tif 000004
【図４】
0004438205.tif 000005
【図５】
0004438205.tif 000006